(57)【要約】      （修正有）【課題】押しボタンが大型となり押し易く、且つ、リモートコントローラのケースが薄型で小型にできるリモートコントローラを提供する。【解決手段】下部ケース１１と、下部ケース１１と嵌合する上部ケース１２からなるケースと、同ケース内に円筒型の乾電池４０を収納し、乾電池４０と横並びの位置にスイッチ３３を備えた基板３０を配置し、スイッチ３０を押下する押しボタン２０を備え、押しボタン２０は基板３０と乾電池４０の上面を覆うように形成され、押しボタン２０の作動部２０８を乾電池４０の上方位置に設けたリモートコントローラ１。【選択図】図５
2015088949.tif 000002
【特許請求の範囲】
【請求項１】
ケースと、同ケース内に少なくとも１つ以上の乾電池を収納し、前記乾電池と横並びの位置に少なくとも１つ以上のスイッチを備えた基板を配置し、前記スイッチを押下する押しボタンを備えたリモートコントローラにおいて、
前記押しボタンは前記基板と前記乾電池の上面を覆うように形成され、前記押しボタンの作動部を前記乾電池の上方位置に設けたことを特徴とするリモートコントローラ。
【請求項２】
前記押しボタンは前記乾電池側が高く、前記基板側が低くなるように形成されることを特徴とする請求項１に記載のリモートコントローラ。
【請求項３】
前記基板は、前記基板の上面を覆う絶縁材料でなるシート部材を備え、前記シート部材は前記スイッチと対向する位置に下方に延設するスイッチ接点部ａを内側に備えたドーム型の押下部を備え、前記押しボタンは下端が前記押下部と当接するスイッチリブを設けたことを特徴とする請求項１または２に記載のリモートコントローラ。
【請求項４】
前記ケースは前記基板側の端に支軸を立設し、前記押しボタンは前記支軸に対向する位置に支軸受部を設け、前記押しボタンの前記作動部を押下すると、前記支軸受部が前記支軸を支点として傾き、前記押しボタンが下がることで、前記スイッチリブが前記押下部の前記スイッチ接点部で前記スイッチを押圧することを特徴とする請求項１乃至３に記載のリモートコントローラ。
【発明の詳細な説明】
【技術分野】
【０００１】
本発明はリモートコントローラの押しボタン構造に関する。
【背景技術】
【０００２】
家電機器を遠隔操作するリモートコントローラの従来例には、押しボタンが１つまたは２つだけで運転開始と運転停止だけの簡単な操作をするリモートコントローラがある。
このリモートコントローラは、内部構造は簡素で、リモートコントローラのケース内に、複数個の単三や単四の円筒型乾電池が並列に配置されて収納され、乾電池の横並びにスイッチと赤外線信号用のＬＥＤを備えた基板も配置され、スイッチの上部に位置するケースの表面に押しボタンを設けている。
そして、ケースの乾電池が収納された部分を握り、ＬＥＤを家電機器に向け、押しボタンでスイッチを押下することで制御信号が送信されるようになっている。
【０００３】
このリモートコントローラの場合、基板の上に押しボタンが位置する。また、乾電池の部分のケースの表面には、押しボタンが設けられないため、ケースの大きさに対して押しボタンが小さいものとなる。（特許文献１参照）
【先行技術文献】
【特許文献】
【０００４】
【特許文献１】特開平７−２９４４９号公報
【発明の概要】
【発明が解決しようとする課題】
【０００５】
昨今は、制御信号を赤外線ではなく電波で送受信するリモートコントローラがある。
電波を利用したリモートコントローラは、制御対象の家電機器との距離が所定の範囲内であれば屋内や庭先等のどこからでもその家電機器を制御できる。そのため、ポケット等に入れて持ち運べるように小型のリモートコントローラが求められている。
また、リモートコントローラを家電機器に向けて操作する必要がないため、照明用スイッチのように壁に取り付けて利用することもできる。この場合は、壁からあまり突出しない薄型で、且つ、照明用スイッチのように押し易い大型の押しボタンとなることが求められている。
【０００６】
しかしながら、従来例のような円筒型乾電池を電源としたリモートコントローラの場合、小型化のために乾電池の上に基板を設けてその上に押しボタンを配置しようとすると、厚さが厚いリモートコントローラとなり、薄型となることができない。
また、従来例のように乾電池の横並びに基板を配置し、その上に押しボタンを配置した場合は、薄型となるが押しボタンはケースの表面全面を利用できず小さくなり壁に取り付けると押しにくいボタンとなる。
【０００７】
本発明は以上述べた問題点を解決し、押しボタンが大型となり押し易く、且つ、リモートコントローラのケースが薄型で小型にできるリモートコントローラを提供する。
【課題を解決するための手段】
【０００８】
上述した課題を解決するために本発明は、ケースと、同ケース内に少なくとも１つ以上の乾電池を収納し、前記乾電池と横並びの位置に少なくとも１つ以上のスイッチを備えた基板を配置し、前記スイッチを押下する押しボタンを備えたリモートコントローラにおいて、
前記押しボタンは前記基板と前記乾電池の上面を覆うように形成され、前記押しボタンの作動部を前記乾電池の上方位置に設けたことを特徴とする。
【発明の効果】
【０００９】
上記のように構成した本発明のリモートコントローラは、乾電池を電源とするリモートコントローラにおいて、押しボタンを、基板から乾電池の上面までを覆うように形成し、押しボタンの作動部を乾電池の上方位置に設けたことで、押しボタンが大型となり押し易く、且つ、リモートコントローラのケースが薄型で小型にできるリモートコントローラとなる。
【図面の簡単な説明】
【００１０】
【図１】本発明のリモートコントローラに係るシステム図である。
【図２】本発明のリモートコントローラの平面図である。
【図３】本発明のリモートコントローラの正面図である。
【図４】本発明のリモートコントローラの外観斜視図である。
【図５】図２のＡ−Ａ断面図である。
【図６】図５の作用状態を示す図である。
【図７】本発明の他の実施例のリモートコントローラの外観斜視図である。
【発明を実施するための形態】
【００１１】
以下、本発明を実施するための形態を、添付図面に基づいた実施例として詳細に説明する。
【実施例１】
【００１２】
本発明に係わるリモートコントローラ１は、図１に示す空気調和機１００の遠隔操作に使われる。また、空気調和機に限定するものでなく遠隔操作の機能を有する機器全般に適用することができる。
空気調和機１００はリモートコントローラ１の他にリモートコントローラ１０１を備える。リモートコントローラ１とリモートコントローラ１０１はともに電波で送受信して空気調和機１００を遠隔操作する。
リモートコントローラ１０１は、空気調和機１００の運転開始と運転停止の他に運転モード、温度、風向、タイマー設定等のあらゆる操作に使われる。
リモートコントローラ１は、空気調和機１００の運転開始と運転停止のみの操作に使われる。そこで、リモートコントローラ１は、例えば、壁に取り付けて照明用スイッチのように利用できるように薄型となっている。また、電波を利用したリモートコントローラは、制御対象の家電機器との距離が所定の範囲内であればどこからでもその家電機器を制御できる。そこでポケットに入れて屋内や庭先等のどこからでも操作できるように持ち運び容易な小型となっている。具体的には、図２の平面図と図３の正面図と図４の外観斜視図に示すように、平面視では約７０ｍｍ×７０ｍｍの略正方形の小型で、正面視では高さ約２０ｍｍの薄型サイズとなっている。
【００１３】
尚、リモートコントローラ１は電波に限らず赤外線信号による制御でもよく、どちらの場合も円筒型の乾電池（ここでは単４乾電池）２個を電源として動作する。
【００１４】
リモートコントローラ１は図２に示される面を平面とし、平面の対面を底面とし、図３において示される面を正面とし、正面の対面を背面とし、向かって右側を右側面とし、向かって左側を左側面として以下説明する。また、内部部品についても同様に説明する。
【００１５】
リモートコントローラ１の外郭は、図４に示すようにケース１０とケース１０の平面側に上下に並び空気調和機１００の運転開始操作と運転停止操作をそれぞれ行う２個の押しボタン２０、２１で形成される。尚、押しボタン２０、２１に係るリモートコントローラ１の構造と内部部品のレイアウトは共通のため、ここでは押しボタン２０を代表として説明する。
【００１６】
ケース１０は、下部ケース１１と、下部ケース１１と嵌合する上部ケース１２とからなる。
下部ケース１１は、底面１１３と底面１１３の周囲から立ち上がる周縁部１１４で形成される。下部ケース１１は、図５に示すように下部ケース１１内の右側に上方に向かって立ち上がる電池収納部１１１を備える。電池収納部１１１には円筒型の乾電池４０が乾電池４０の長手方向を近接させて２個並列に配置される。乾電池４０は電池蓋１３で押さえられ、電池蓋１３が下部ケース１１に係合することで収納される。
【００１７】
下部ケース１１内の左側で電池収納部１１１内に収納されている乾電池４０の長手方向と横並びの位置には基板３０が配置される。基板３０は下部ケース１１の底面１１３から立設するリブ１１２の上に載置される。基板３０は図５では乾電池４０の高さ方向の中央の位置に配置される。
【００１８】
基板３０は、底面側に空気調和機１００に電波信号を送受信するための通信装置３１を備える。基板３０は、平面側で乾電池４０寄りにリモートコントローラ１の操作に合わせ発光するＬＥＤ３２を備える。また、ＬＥＤ３２の左横にスイッチ３３を備える。
【００１９】
ＬＥＤ３２の周囲を除いて基板２０の上面には、シリコンゴム等の絶縁材料でなるシート部材３４を備える。シート部材３４は基板３０を保護するとともに、スイッチ３３と対向する位置に下方に延設するスイッチ接点部３４１ａを内側に備えたドーム型の押下部３４１を備える。このスイッチ接点部３４１ａが直接スイッチ３３と接触する。
また、押下部３４１は後述するスイッチリブ２０７を支えている。これにより押しボタン２０は押し上げられている。さらに、押下部３４１は弾性を備えることで押しボタン２０を押下したときに操作者にクリック感を与える。
【００２０】
下部ケース１１の上には上部ケース１２が嵌合する。上部ケース１２はリモートコントローラ１の正面１２１ａと左側面１２１ｂと右側面１２１ｃと背面１２１ｄを囲む枠部１２１と、基板３０の上を覆い、押しボタン２０を支える平面部１２２とからなる。
枠部１２１と平面部１２２の間には溝部１２３が上部ケース１２の内周の全周に渡って形成されている。溝部１２３には後述する押しボタン２０のフランジ２０２が遊びをもって嵌め込まれる。
上部ケース１２の平面部１２２の基板３０側で左端には上端が押しボタン２０の回動の支点となる支軸１２４が立設する。
【００２１】
図２に示すように上部ケース１２の枠部１２１の内側には押しボタン２０、２１が配置される。本発明では、押しボタン２０、２１と二つあるが、これに限らず運転開始と運転停止を兼ねる１つの押しボタン２０となってもよい。
【００２２】
押しボタン２０は、図３、図５に示すように基板３０と乾電池４０および乾電池収納部１１１の上面を覆うように形成される。また、基板３０側が低く、乾電池４０および乾電池収納部１１１側が高いＳ字形をしている。乾電池４０側が高くなっていることで、おのずと操作者は押しボタン２０の乾電池４０側を押下する。
乾電池収納部１１１と押しボタン２０の間には、支軸１２４を支点にして押しボタン２０が上下するための隙間Ｓを設けている。
尚、本発明では、押しボタン２０を押し易いように基板３０側と乾電池４０側で高さを変えているが、これに限らず同じ高さとなってもよい。
【００２３】
押しボタン２０は、Ｓ字形の平面部２０１と平面部２０１の周囲から下方に向かって延設されたフランジ２０２とからなる。
フランジ２０２の右側面側の下端には係止爪２０３を備える。フランジ２０２が、上部ケース１２の溝部１２３に収まり、係止爪２０３が上部ケース１２の溝部１２３に設けた係止孔１２３ａに係止される。フランジ２０２は溝部１２３に遊びを持って嵌め込まれる。遊びがあることで、押しボタン２０が押下時に支軸１２４を支点に上下しても溝部１２３の中で吸収される。
【００２４】
押しボタン２０の平面部２０１は、図２と図５に示すように前述したＬＥＤ３２に対向する部分が円形をした薄肉状となり、この薄肉部分が発光部２０４となる。平面部２０１の裏面には、発光部２０４を囲むように下方に延設した光案内部２０５が設けられ、同様に、前述した支軸１２４に対向する位置に先端が円弧の凹状となる支軸受部２０６が設けられる。また、前述したスイッチ３３に対向する位置に下端がシート部材３４の押下部３４１と当接するスイッチリブ２０７を設ける。スイッチリブ２０７は図２に示すように断面で十字型としている。押しボタン２０を押されていない状態では、このスイッチリブ２０７の先端がシート部材３４の押下部３４１に当接することで押しボタン２０が押し上げられている。
【００２５】
図２に示すように押しボタン２０は、平面部２０１の乾電池４０側に「運転」の文字が印刷され、押しボタン２１は、平面部２０１の乾電池４０側に「停止」の文字が印刷されている。乾電池４０側に文字が印刷され、高くなっていることで操作者は、乾電池４０上部を押しボタン２０、２１の作動部２０８と認識する。
図６に示すように、押しボタン２０の作動部２０８を押すと、押しボタン２０の支軸受部２０６が上部ケース１２の支軸１２４を支点として傾き、押しボタン２０は電池４０側に大きく回動する。押しボタン２０はフランジ２０２の右側の下端２０２ａが溝部１２３の上面１２３ｂと当接する。この時、スイッチリブ２０７が押下部３４１を押し下げ、押下部３４１のスイッチ接点部３４１ａがスイッチ３３を押圧する。同時に押下部３４１の弾性によりクリック感が得られる。
スイッチ３３を押圧すると、リモートコントローラ１内に配置された通信装置３５により「運転開始」の信号が空気調和機１００に送られるとともにＬＥＤ３２が発光する。信号を受けた空気調和機１００は運転を開始する。ＬＥＤ３２が発光した光は、光案内部２０５を通過して発光部２０４を一定時間光らせる。
押しボタン２０から指を離すと、スイッチリブ受部３４１の弾性により、押しボタン２０は、図５の元の位置に戻る。
【００２６】
押しボタン２１を押下すると押しボタン２１も押しボタン２０と同様に回動する。押しボタン２１が押しボタン２１側のスイッチ３３を押圧すると、リモートコントローラ１内に配置された通信装置３５により「運転停止」の信号が空気調和機１００に送られるとともに押しボタン２１側のＬＥＤ３２が発光する。信号を受けた空気調和機１００は運転を停止する。ＬＥＤ３２が発光した光は、光案内部２０５を通過して発光部２０４を一定時間光らせる。
押しボタン２１から指を離すと、スイッチリブ受部３４１の弾性により、押しボタン２１は、元の位置に戻る。
【００２７】
上記に示した構成により、円筒型の乾電池４０を電源とするリモートコントローラ１において、押しボタン２０を、基板３０から従来例では使われていなかった乾電池４０の上面までを覆うように形成することで、リモートコントローラ１の表面は押しボタン２０だけが備わることになる。
ケース１０に対し、押しボタン２０がケース１０と略同じ面積で形成されることで、小型のケース１０に大型の押しボタン２０となり、さらに乾電池４０側が高くなっていることで押し易く操作しやすいリモートコントローラとなる。
尚、本発明では乾電池４０は円筒型としたが、これに限らずボックス型や他の形状でもよい。
【実施例２】
【００２８】
リモートコントローラ１ａは、図７に示すように、円筒型の乾電池４０の長手方向ではなく乾電池の円形側と横並びの位置に基板３０ａを配置して、運転／停止を一つの押しボタン２０ａで兼ねるリモートコントローラとしてもよい。
【符号の説明】
【００２９】
１００：空気調和機、１：リモートコントローラ、１０：ケース
１１：下部ケース、１１１：電池収納部
１２：上部ケース、１２３：溝部、１２４：支軸
２０、２１：押しボタン、２０１：平面部、２０２：フランジ、２０６：支軸受部、２０７：スイッチリブ、２０８：作動部
３０：基板、３１：通信装置、３３：スイッチ、３４：シート部材、３４１：押下部
４０：乾電池
【図１】
2015088949.tif 000003
【図２】
2015088949.tif 000004
【図３】
2015088949.tif 000005
【図４】
2015088949.tif 000006
【図５】
2015088949.tif 000007
【図６】
2015088949.tif 000008
【図７】
2015088949.tif 000009